(57)【要約】【課題】外力を吸収して損傷を抑制できるとともに、容器本体に容易で確実に着脱できる容器用蓋材および容器を提供する。【解決手段】容器本体２の開口部２１の外周側に外周方向から係脱可能な係合爪部３１Ｂを有した係脱部３１と、開口部２１を覆う天面部３２との間に、係脱部３１から延設された第一段差部３３Ａと、当該第一段差部３３Ａに段差状の第二段差部３３Ｂとを備えた段差部３３を設ける。第二段差部３３Ｂを第一段差部３３Ａより幅広に形成する。外力が加わると、第二段差部３３Ｂが比較的に大きく弾性変形して外力を吸収して損傷を防止するとともに、比較的に剛性の高い第一段差部３３Ａ近傍により係脱部３１が外側へ広がる弾性変形を抑制し、良好な係脱状態が得られる。【選択図】図３
2014125218.tif 000002
【特許請求の範囲】
【請求項１】
鉛直方向の上面に開口部を有した容器本体に着脱可能に取り付けられ前記開口部を開閉する容器用蓋材であって、
前記容器本体の開口部の外周側に外周方向から係脱可能な係脱部と、
前記開口部を覆う天面部と、
前記係脱部および前記天面部の間に設けられた段差部とを備え、
前記段差部は、前記係脱部から延設され鉛直方向に対して交差する平面を有する第一段差部と、鉛直方向に対して交差する平面を有し前記第一段差部に対して段差状に設けられた第二段差部とを備え、前記係脱部から前記天面部に渡る方向の前記第二段差部の幅寸法が、前記第一段差部の幅寸法より幅広である
ことを特徴とする容器用蓋材。
【請求項２】
請求項１に記載の容器用蓋材であって、
前記係脱部は、鉛直方向に略沿った平面を有した側壁部を有し、
前記第一段差部は、前記側壁部に対して折曲形成され水平方向に略沿った平面を有した平板状に形成され、
前記第二段差部は、水平方向に略沿った平面を有した平板状に形成されている
ことを特徴とする容器用蓋材。
【請求項３】
請求項１または請求項２に記載の容器用蓋材であって、
第二段差部は、外周縁が前記第一段差部に連続し、内周縁が前記天面部に連続して設けられている
ことを特徴とする容器用蓋材。
【請求項４】
請求項１から請求項３までのいずれか一項に記載の容器用蓋材であって、
前記第一段差部の幅寸法は、厚さ寸法に対して、２．５倍以下である
ことを特徴とする容器用蓋材。
【請求項５】
請求項１から請求項４までのいずれか一項に記載の容器用蓋材であって、
前記天面部がドーム形状を有し、前記天面部における前記段差部に延設する外周縁の平面と前記第二段差部の平面とのなす角が、８５°以上９５°未満である
ことを特徴とする容器用蓋材。
【請求項６】
請求項１から請求項５までのいずれか一項に記載の容器用蓋材であって、
前記第二段差部の幅寸法は、前記第一段差部の幅寸法に対して２倍以上１０倍以下である
ことを特徴とする容器用蓋材。
【請求項７】
請求項１から請求項６までのいずれか一項に記載の容器用蓋材であって、
樹脂原料の射出成形により形成された
ことを特徴とする容器用蓋材。
【請求項８】
請求項１から請求項７までのいずれか一項に記載の容器用蓋材であって、
マーガリン用である
ことを特徴とする容器用蓋材。
【請求項９】
鉛直方向の上面に開口部を有した容器本体と、
前記容器本体に着脱可能に取り付けられ前記開口部を開閉する請求項１から請求項８までのいずれか一項に記載の容器用蓋材と
を具備したことを特徴とする容器。
【請求項１０】
請求項９に記載の容器であって、
前記容器本体は、前記開口部の外周側から外方に向けて延設され、前記容器用蓋材の外周縁が当接する当接部を備えている
ことを特徴とする容器。
【発明の詳細な説明】
【技術分野】
【０００１】
本発明は、容器本体に着脱可能に取り付けられ容器本体の開口部を開閉する容器用蓋材および容器に関する。
【背景技術】
【０００２】
粘性を有する調味料、あるいは惣菜や調理食材など、食品や食材を収容する容器として、用途に応じて各種形状のプラスチック容器が利用されている。これらプラスチック容器において、蓋材の周縁を弾性変形することで、容器本体の上面開口部の外周部に係脱し、上面開口部を開閉する構成が採られている（例えば、特許文献１〜３参照）。
これら特許文献１〜３に記載の従来の容器では、容器本体の外周部に係脱可能に係合して上面開口部を閉塞する係合部を有した蓋材を備えている。蓋材の係合部は、蓋材の最外周縁に設けられ容器本体の外周縁に係脱する係脱面部と、当該係脱面部に連続するとともに蓋材の天面部分に連続して設けられ、容器本体の開口部の外周縁の上面に面で当接する当接面部とから構成されている。
【先行技術文献】
【特許文献】
【０００３】
【特許文献１】特開平９−２５５０６７号公報
【特許文献２】特開２００４−６７１４０号公報
【特許文献３】特開２０１１−６８３９６号公報
【発明の概要】
【発明が解決しようとする課題】
【０００４】
ところで、プラスチック容器では、軽量化や材料コストの低減を目的として、薄肉化が検討されている。しかしながら、薄肉化により容器の剛性が損なわれ、蓋材に外力が作用した際に蓋材が弾性変形し、割れなどの損傷を生じたり、容器本体から外れてしまい、内容物が漏れ出るなどの不都合が生じたりするおそれがある。また、蓋材を容器本体に取り付ける際の押圧力により、蓋材が弾性変形して容器本体に適切に係合できず、蓋材を取り付ける作業が煩雑となるおそれもある。
【０００５】
本発明の目的は、外力を吸収して損傷を抑制できるとともに、容器本体に容易で確実に着脱できる容器用蓋材および容器を提供することにある。
【課題を解決するための手段】
【０００６】
本発明の容器用蓋材は、鉛直方向の上面に開口部を有した容器本体に着脱可能に取り付けられ前記開口部を開閉する容器用蓋材であって、前記容器本体の開口部の外周側に外周方向から係脱可能な係脱部と、前記開口部を覆う天面部と、前記係脱部および前記天面部の間に設けられた段差部とを備え、前記段差部は、前記係脱部から延設され鉛直方向に対して交差する平面を有する第一段差部と、鉛直方向に対して交差する平面を有し前記第一段差部に対して段差状に設けられた第二段差部とを備え、前記係脱部から前記天面部に渡る方向の前記第二段差部の幅寸法が、前記第一段差部の幅寸法より幅広であることを特徴とする。
【０００７】
この発明では、当該容器用蓋材を潰す方向に外力が加わった場合、天面部とともに第二段差部および当該第二段差部と天面部との連結部分で他の部位に比して大きく弾性変形して外力を吸収するので、当該容器用蓋材の損傷を抑制できる。さらに、第一段差部および第一段差部と係脱部との連結部分での弾性変形は小さく剛性が高いので、第二段差部および当該第二段差部と天面部との連結部分で大きく弾性変形しても、係脱部が容器本体の開口部の外周側から離間する方向に弾性変形することが抑制され、係脱部と容器本体との係合が解除されることを抑制して当該容器用蓋材が外れてしまう不都合を抑制できる。また、当該容器用蓋材に押圧力を作用して容器本体に取り付ける際、第一段差部近傍の剛性により、係脱部が容器本体の開口部の外周側から離間する方向に弾性変形することが抑制されるので、開口部の外周側に係脱する係脱部に押圧力が有効に作用し、当該容器用蓋材の良好な取付感が得られる。
このように、第一段差部と第二段差部とを第二段差部が幅広となる条件で多段に設ける簡単な構成で、損傷を抑制でき、係脱部が不用意に外れてしまうことを防止できるとともに、押圧力を作用する簡単な動作で容器本体に容易で確実に取り付けできることから、当該容器用蓋材を肉薄に形成することも容易にでき、軽量化や材料コストの低減も容易に図れる。
【０００８】
そして、本発明では、前記係脱部は、鉛直方向に略沿った平面を有した側壁部を有し、前記第一段差部は、前記側壁部に対して折曲形成され水平方向に略沿った平面を有した平板状に形成され、前記第二段差部は、水平方向に略沿った平面を有した平板状に形成されている構成とすることが好ましい。
この発明では、係脱部の側壁部に対して第一段差部および第二段差部が略直交する状態となり、当該容器用蓋材を潰す方向に作用する外力により、第一段差部に比して幅広の第二段差部が外力を吸収しやすい平面により大きく弾性変形することが容易に得られる。
【０００９】
また、本発明では、第二段差部は、外周縁が前記第一段差部に連続し、内周縁が前記天面部に連続して設けられている構成とすることが好ましい。
この発明では、外力により当該容器用蓋材が損傷しないために第二段差部の幅寸法を大きく設計しても、第二段差部が当該容器用蓋材の全体に対して外周縁に位置する状態が得られ、外力に対する十分な弾性変形が得られる。
【００１０】
そして、本発明では、前記第一段差部の幅寸法は、厚さ寸法に対して、２．５倍以下である構成とすることが好ましい。
この発明では、第一段差部の幅寸法が厚さ寸法に対して２．５倍以下であることから、第一段差部の近傍の剛性が他の部位より高くなり、外力が作用した際に、第一段差部およびその近傍ではほとんど弾性変形せずに第二段差部が変形することにより、当該容器用蓋材の外力による損傷をより防止できるとともに、容器本体とのより確実な係脱状態が得られる。
【００１１】
さらに、本発明では、前記天面部がドーム形状を有し、前記天面部における前記段差部に延設する外周縁の平面と前記第二段差部の平面とのなす角が、８５°以上９５°未満である構成とすることが好ましい。
この発明では、ドーム形状の天面部における段差部に延設する外周縁の平面と第二段差部の平面とのなす角が８５°以上９５°未満であることから、外力が作用した際に、天面部と段差部との連結部分の近傍で天面部と段差部とのなす角が小さくなる状態に変形し易く、外力に対してより弾性変形しやすくなり、当該容器用蓋材の外力による損傷をより防止できるとともに、容器本体とのより確実な係脱状態が得られる。
ここで、９５°以上に角度が大きくなると、天面部と段差部との連結部分の弾性変形が小さくなって効果が得られにくくなるおそれがあり、８５°より小さくなると、係脱に影響する寸法精度が得られやすい射出成形などの成形が極めて困難となるおそれがあるためである。
【００１２】
また、本発明では、前記第二段差部の幅寸法は、前記第一段差部の幅寸法に対して２倍以上１０倍以下である構成とすることが好ましい。
この発明では、第二段差部の幅寸法が第一段差部の幅寸法に対して２倍以上１０倍以下であることから、第二段差部の弾性変形が十分に得られ、当該容器用蓋材の外力による損傷をより防止できるとともに、容器本体とのより確実な係脱状態が得られる。
ここで、２倍より幅狭になると、第二段差部の十分な弾性変形が得られず、外力を十分に吸収できなくなり、損傷するおそれがあるとともに、当該容器用蓋材の外周縁が外方に広がる弾性変形が大きくなって、容器本体との適切な係合状態が得られなくなるおそれがある。一方、１０倍より幅広になると、当該容器用蓋材を容器本体に取り付ける際の押圧力が係脱部に作用しにくくなり、良好な着脱感が得られにくくなるおそれがある。
【００１３】
そして、本発明では、樹脂原料の射出成形により形成された構成とすることが好ましい。
この発明では、係脱部の係脱に寸法精度が要求される場合でも射出成形により精度よく成形できることから、外力により損傷せず、かつ寸法精度が要求される係脱部の係合が外れるなどの不都合を防止できる段差部を容易に形成できる。
【００１４】
また、本発明では、マーガリン用として構成することが好ましい。
この発明では、マーガリンは外部環境により液状化または固形化するので、マーガリンが漏れ出ることを防止するための寸法精度が必要で、かつ内容物のマーガリンを利用する毎に開口部の開閉動作が実施され、開閉動作毎に押圧力が良好に係脱部に作用して良好な開閉感を提供する必要があり、誤って落下して外力が作用しても損傷しない構成が必要である点で、特に有効である。
【００１５】
本発明の容器は、鉛直方向の上面に開口部を有した容器本体と、前記容器本体に着脱可能に取り付けられ前記開口部を開閉する本発明に記載の容器用蓋材とを具備したことを特徴とする。
この発明では、本発明の容器用蓋材を用いるので、簡単な構成で、損傷を抑制でき、係脱部が不用意に外れてしまうことを防止できるとともに、押圧力を作用する簡単な動作で容器本体に容易で確実に取り付けでき、当該容器用蓋材を肉薄に形成することも容易にでき、軽量化や材料コストの低減も容易に図れる。
【００１６】
そして、本発明では、前記容器本体は、前記開口部の外周側から外方に向けて延設され、前記容器用蓋材の外周縁が当接する当接部を備えている構成とすることが好ましい。
この発明では、開口部の外周側から外方に向けて延設した当接部に、容器用蓋材の外周縁が当接することで、摩擦により容器用蓋材の外周縁が外方へ広がるように変形することが抑制され、変形による割れなどの損傷を防止できる。
【図面の簡単な説明】
【００１７】
【図１】本発明の容器に係る一実施形態を示す分解斜視図。
【図２】図１中II−IIにおける一部を切り欠いた断面図。
【図３】図１中III−IIIにおける一部を切り欠いた断面図。
【図４】前記容器に外力が加わった際の蓋材の変形状態を示す断面図。
【図５】本発明の容器に係る他の実施形態を示す一部を切り欠いた断面図。
【図６】本発明の容器に係るさらに他の実施形態を示す一部を切り欠いた断面図。
【図７】本発明の容器に係るさらに他の実施形態を示す一部を切り欠いた断面図。
【発明を実施するための形態】
【００１８】
以下、本発明の容器用蓋材を備えた容器に係る一実施形態について図面を参照して説明する。
［容器の構成］
図１〜３に示すように、１は容器で、容器１は、例えばマーガリンなどの粘性を有する食材を収容する容器である。この容器１は、鉛直方向の上面に開口部２１を有した容器本体２と、当該容器本体２に着脱可能に取り付けられ開口部２１を開閉する容器用蓋材である蓋材３とを具備している。
【００１９】
容器本体２は、略長方形で四隅が円弧状の図示しない底板部と、当該底板部の外周縁に鉛直方向の上方に向けて拡径するように屈曲形成された側板部２３と、当該側板部２３の上端縁に外方に向けて鍔状に屈曲形成された鍔部２４と、当該鍔部２４の外周縁に上方に向けて屈曲形成された立壁部２５と、鍔部２４の外周縁から外方に向けてさらに延設された当接部２６とを備え、立壁部２５の上端縁にて開口部２１が開口形成されている。
立壁部２５は、上方に向けて次第に厚み寸法が薄くなるようにテーパー状に形成されている。また、立壁部２５の外周面には、四隅に位置して外方に突出する係止爪部２７が設けられている。
【００２０】
そして、容器本体２は、例えばポリエチレンやポリプロピレン、ポリスチレン、ポリ乳酸などの樹脂原料により、射出成形にて形成される。
容器本体２は、開口部２１の長手方向の寸法が１２０ｍｍ以上１５０ｍｍ以下、短手方向の寸法が９０ｍｍ以上１２０ｍｍ以下、開口部２１の長手方向寸法／短手方向寸法＝１．２以上１．４以下で、容器本体２の高さ寸法は、２５ｍｍ以上５５ｍｍ以下で形成されている。
【００２１】
蓋材３は、容器本体２の開口部２１の外周側に外周方向から係脱可能な係脱部３１と、容器本体２の開口部２１を覆うようにドーム形状に形成された天面部３２と、係脱部３１および天面部３２の間に設けられた段差部３３とを備えている。
係脱部３１は、鉛直方向に略沿った平面を有し、容器本体２の開口部２１より外周側となる立壁部２５に重なるように取り付けられる側壁部３１Ａと、当該側壁部３１Ａの内面側に突設され、容器本体２の係止爪部２７に係脱し取り付けられる係合爪部３１Ｂとを備えている。
【００２２】
天面部３２は、略長方形で四隅が円弧状の天板部３２Ａと、当該天板部３２Ａの周縁が下方に向けて屈曲形成された側面部３２Ｂを有し、下方に開口するドーム状に形成されている。
側面部３２Ｂは、平面が鉛直方向に略沿うように形成されるが、型抜きテーパーなどの製造性の点で、水平面に対してなす角θが８５°以上９５°未満となるように設計されている。
【００２３】
段差部３３は、係脱部３１から延設され鉛直方向に対して交差する平面を有する第一段差部３３Ａと、鉛直方向に対して交差する平面を有し第一段差部３３Ａに対して段差状に設けられた第二段差部３３Ｂとを備えている。
より具体的には、第一段差部３３Ａは、係脱部３１の側壁部３１Ａの上端から内方に折曲形成されて水平面に略沿った平面を有して形成されている。第一段差部３３Ａの内周縁には、上方に向けて立上部３３Ｃが折曲形成されている。立上部３３Ｃの上端縁には、内方に向けて水平面に略沿った平面を有した第二段差部３３Ｂが折曲形成されている。第二段差部３３Ｂは、内周縁が天面部３２の側面部３２Ｂの下端縁に連続して形成されている。そして、立上部３３Ｃは、容器本体２に取り付けたときに、容器本体２の開口部２１の上端部の直上付近に位置するように形成され、第一段差部３３Ａが所定の幅狭に構成されている。
【００２４】
第一段差部３３Ａは、幅寸法が厚さ寸法に対して２．５倍以下となるように構成されていることが好ましい。
ここで、２．５倍より幅広になると、蓋材３に外力が加わった際に、第二段差部３３Ｂと同様に弾性変形し、蓋材３の外周縁である係脱部３１の下端縁が外側に広がるように弾性変形し、当接部２６から外れて当接部２６の先端を支点として大きく広げられる状態となり、割れが生じたり、係脱部３１が伸ばされて容器本体２に係脱できなくなったりするなどの不都合を生じるおそれがある。
【００２５】
そして、段差部３３は、係脱部３１から天面部３２に渡る方向の第二段差部３３Ｂの幅寸法が、第一段差部３３Ａの幅寸法より幅広、好ましくは第一段差部３３Ａの幅寸法に対して２倍以上１０倍以下、より好ましくは３倍以上５倍以下となるように形成されている。
ここで、２倍より幅狭になると、第二段差部３３Ｂの十分な弾性変形が得られず、外力を十分に吸収できなくなり、損傷するおそれがあるとともに、蓋材３の外周縁が外方に広がる弾性変形が大きくなって、容器本体２との適切な係合状態が得られなくなるおそれがある。一方、１０倍より幅広になると、蓋材３を容器本体２に取り付ける際の押圧力が係脱部３１に作用しにくくなり、良好な着脱感が得られにくくなるおそれがある。
【００２６】
さらに、第二段差部３３Ｂの幅寸法（Ｌ２）と厚さ寸法（Ｈ２）の比（Ｌ２／Ｈ２）は、第一段差部３３Ａの幅寸法（Ｌ１）と厚さ寸法（Ｈ１）の比（Ｌ１／Ｈ１）に対して、好ましくは２倍以上１０倍以下となるように形成されている。
ここで、２倍より幅狭になると、第二段差部３３Ｂの十分な弾性変形が得られず、外力を十分に吸収できなくなり、損傷するおそれがあるとともに、蓋材３の外周縁が外方に広がる弾性変形が大きくなって、容器本体２との適切な係合状態が得られなくなるおそれがある。一方、１０倍より幅広になると、蓋材３を容器本体２に取り付ける際の押圧力が係脱部３１に作用しにくくなり、良好な着脱感が得られにくくなるおそれがある。
【００２７】
［容器の変形状況］
次に、上記容器に外力が作用した状況について図４を参照して説明する。
例えば、容器が落下するなどにより、蓋材３に外力が作用した際、まず蓋材３の側壁部３１Ａの下端が容器本体２の当接部２６に押し付けられる状態となり、側壁部３１Ａの下端と当接部２６との間の摩擦力が増大する。そして、さらなる外力により、図４に示す二点鎖線の状態から実線で示す状態に、蓋材３が弾性変形する。
具体的には、天面部３２の側面部３２Ｂの下端が下方に沈み込むように、第二段差部３３Ｂが弾性変形するとともに、第二段差部３３Ｂと天面部３２の側面部３２Ｂとの連結部分が互いに近接するように鋭角に弾性変形する。さらに、第二段差部３３Ｂの弾性変形により立上部３３Ｃが引っ張られるように弾性変形する。なお、第一段差部３３Ａは、幅寸法が厚さ寸法に対して所定の幅狭に形成されているので、第一段差部３３Ａ近傍の剛性が他の部位より高くなっており、第一段差部３３Ａおよびその近傍ではほとんど弾性変形しない。
さらに、第二段差部３３Ｂが大きく弾性変形して、立上部３３Ｃが引っ張られるように弾性変形しても、側壁部３１Ａの下端と当接部２６との間の摩擦力により、係脱部３１の側壁部３１Ａの上端側が内側に引っ張られるように多少撓む程度で、側壁部３１Ａの下端が外方に広がるような弾性変形はあまり生じない。
【００２８】
このように、上記実施形態では、第一段差部３３Ａおよび当該第一段差部３３Ａより幅広な第二段差部３３Ｂを段差状に設けたので、外力が加わっても、第二段差部３３Ｂにより外力を吸収し、係脱部３１が広がって当接部２６の先端から外れてしまい、係脱部３１が当接部２６の先端を支点として大きく広げられる状態となり、割れが生じたり伸びたりして損傷したり、係止爪部２７と係合爪部３１Ｂとの係合が得られなくなって蓋材３が容器本体２に係合できなくなったりすることを防止できる。
さらに、外力が加わった際に係脱部３１の側壁部３１Ａの下端が当接して摩擦力を生じさせる当接部２６を設けたことにより、より係脱部３１が外方に広げられる弾性変形が抑制され、より損傷を防止できる。
そして、外力が解除されると、仮に係脱部３１の係合爪部３１Ｂが容器本体２の係止爪部２７から外れた状態となっていても、蓋材３の復元により、係脱部３１の側壁部３１Ａが立壁部２５に重なるように近接して再び係合状態が得られるので、蓋材３が容器本体２から外れてしまうことを抑制できる。
【００２９】
一方、蓋材３を容器本体２に係合させて開口部２１を閉塞する通常動作の場合、容器本体２の立壁部２５の外周側に蓋材３の係脱部３１を嵌め合わせる。そして、係脱部３１の係合爪部３１Ｂが容器本体２の係止爪部２７に乗り上げる状態となる。この状態で、利用者が蓋材３に押圧力を作用させると、第二段差部３３Ｂが多少弾性変形するが他の部位はほとんど弾性変形せず、係合爪部３１Ｂが係止爪部２７を乗り越えるとともに、側壁部３１Ａの下端が当接部２６に当接して、蓋材３が容器本体２に取り付けられる。
このように、押圧力を作用させて蓋材３を取り付ける通常動作の場合には、第一段差部３３Ａの剛性により、係脱部３１の側壁部３１Ａの下端が外方へ広がるように弾性変形することが抑制されるので、係脱部３１に押圧力が有効に作用し、係脱部３１の係合爪部３１Ｂが容器本体２の係止爪部２７を乗り越えるとともに、側壁部３１Ａの下端が当接部２６に当接して、蓋材３の良好な取付感を提供できる。
【００３０】
特に、収容するマーガリンは、外部環境により液状化または固形化するので、マーガリンが漏れ出ることを防止するための寸法精度が必要で、かつ内容物のマーガリンを利用する毎に開口部２１の開閉動作が実施され、繰り返される開閉動作毎に押圧力が良好に係脱部３１に作用して良好な開閉感を提供する必要があることから、射出成形した容器１により、良好な寸法精度が得られ、内容物の適切な収容と、蓋材３の良好な開閉が得られる。さらに、射出成形により、誤って落下して外力が作用しても損傷しない材料を選定することが容易にできる。
【００３１】
そして、上記実施形態では、係脱部３１の鉛直方向に略沿った平面を有した側壁部３１Ａに対して、水平方向に略沿った平面を有した平板状に第一段差部３３Ａを折曲状に形成し、第二段差部３３Ｂも水平方向に略沿った平面を有した平板状に形成している。
このため、係脱部３１の側壁部３１Ａに対して第一段差部３３Ａおよび第二段差部３３Ｂが略直交する状態となり、蓋材３を潰すような外力が作用すると、外力に対して交差する平面となる第二段差部３３Ｂが第一段差部３３Ａに比して大きく弾性変形し、より外力による損傷を防止できるとともに、容器本体２と蓋材３とのより確実な係脱状態が得られる。
【００３２】
さらに、上記実施形態では、第二段差部３３Ｂの外周縁を立上部３３Ｃを介して第一段差部３３Ａに連続させ第二段差部３３Ｂを第一段差部３３Ａに隣接する段差とし、第二段差部３３Ｂの内周縁を天面部３２に連続して設けている。
そして、立上部３３Ｃは、容器本体に取り付けたときに、容器本体２の開口部２１の上端部の直上付近に位置するように形成され、第一段差部３３Ａが所定の幅狭に構成されている。
このため、第二段差部３３Ｂの幅寸法を大きく設計しても、第二段差部３３Ｂの一端は蓋材３の外周側に位置することになる。外力が天面部３２に作用しても、第一段差部３３Ａおよびその近傍がほとんど弾性変形せず、第二段差部３３Ｂによる外力に対する十分な弾性変形が得られる状態が得られるため、蓋材３が損傷することを防止できる。
【００３３】
また、上記実施形態では、天面部３２における段差部３３に延設する側面部３２Ｂの平面と第二段差部３３Ｂの平面とのなす角が８５°以上９５°未満としている。
このため、外力が作用した際に、天面部３２と段差部３３との連結部分の近傍で天面部３２と段差部３３とのなす角が小さくなる状態に鋭角に変形し易く、外力に対してより弾性変形しやすくなり、蓋材３の外力による損傷をより防止できるとともに、容器本体２と蓋材３とのより確実な係脱状態が得られる。
【００３４】
さらに、上記実施形態では、開口部２１の外周側から外方に向けて当接部２６を延設し、蓋材３の外周縁である側壁部３１Ａの下端が当接する構成としている。
このため、側壁部３１Ａの下端と当接部２６との摩擦により、蓋材３の側壁部３１Ａの下端が外方へ広がるように変形することが抑制され、変形による割れなどの損傷をより確実に防止できるとともに、容器本体２と蓋材３とのより確実な係脱状態が得られる。
【００３５】
［変形例］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
具体的には、上記実施形態では、マーガリンを収容する容器を例示したが、バター、ショートニング、生クリーム、カスタードクリーム、各種ジャム、チーズなどの食材の他、アイスクリームや惣菜、弁当などの食品、化粧品、接着剤や充填剤、グリースなどの工業品、ビーズやクリップなどの玩具や文具など、各種物品の収容に利用できる。
【００３６】
そして、使用する樹脂原料は、収容する物品、加熱や冷凍などの用途などに応じて設定される。
また、蓋材３は、射出成形品に限られるものではなく、例えば惣菜やお弁当など１回で使い捨てされる容器など、寸法精度が比較的に要求されない用途の場合、シート成形など、他の成形方法で成形したものでもよい。
【００３７】
そして、段差部３３としては、第一段差部３３Ａおよび第二段差部３３Ｂを水平面に沿った平面を有する構成とする場合に限らず、図５に示すように、第二段差部３３Ｂと天面部３２の外周縁における平面とのなす角θが鋭角となるように、第二段差部３３Ｂが水平面に対して交差する平面を有した形状としてもよい。
なお、第一段差部３３Ａについても同様に、水平面に沿った平面に限られるものではない。
さらに、なす角θとして、８５°以上９５°未満が好ましいが、この範囲に限られるものでなく、収容する物品、加熱や冷凍などの用途、意匠性などに応じて、適宜設計できる。
【００３８】
また、段差部３３としては、第一段差部３３Ａおよび第二段差部３３Ｂの２段構成に限らず、例えば図６に示すように、第二段差部３３Ｂと天面部３２の下端縁との間に段差３３Ｄをさらに設けた構成としてもよい。
【００３９】
そして、蓋材３の係脱部３１として、容器本体２の係止爪部２７に係脱する係合爪部３１Ｂを側壁部３１Ａに設けた構成に限らず、例えば、係合爪部３１Ｂを設けず、側壁部３１Ａの外周縁が容器本体２の立壁部２５の外周面に競り合わさって保持される構成としたり、容器本体２の係止爪部２７や外周縁に側壁部３１Ａの下端縁が乗り越えて係止される構成としたりするなど、外周側から係脱するいずれの構成とすることができる。
さらに、容器本体２に当接部２６を設けて説明したが、例えば図７に示すように、当接部２６を設けなくてもよい。
【００４０】
また、第二段差部３３Ｂの幅寸法は、第一段差部３３Ａの幅寸法より広ければよく、第一段差部３３Ａの幅寸法の２倍以上１０倍以下に限られるものではない。
さらに、第二段差部３３Ｂの幅寸法（Ｌ２）と厚さ寸法（Ｈ２）の比（Ｌ２／Ｈ２）が、第一段差部３３Ａの幅寸法（Ｌ１）と厚さ寸法（Ｈ１）の比（Ｌ１／Ｈ１）に対して、２倍以上１０倍以下に限られるものではない。
【００４１】
また、段差部３３は、蓋材３の全周囲に亘って設けられる必要はなく、長手方向または短手方向の一部に設けた構成としてもよい。
【００４２】
その他、本発明を実施する際における具体的な構造および形状などは、本発明の目的および効果を達成できる範囲内において、他の構造や形状などとしても問題はない。本発明は前記した各実施形態に限定されるものではなく、本発明の目的を達成できる範囲での変形や改良は、本発明に含まれるものである。
【産業上の利用可能性】
【００４３】
本発明は、食品、化粧品、工業品、玩具や文具などの各種物品を収容する容器および容器用蓋材に適用できる。
【符号の説明】
【００４４】
１……容器
２……容器本体
３……容器用蓋材としての蓋材
２１……開口部
２６……当接部
３１……係脱部
３１Ａ…側壁部
３２……天面部
３３……段差部
３３Ａ…第一段差部
３３Ｂ…第二段差部
【図１】
2014125218.tif 000003
【図２】
2014125218.tif 000004
【図３】
2014125218.tif 000005
【図４】
2014125218.tif 000006
【図５】
2014125218.tif 000007
【図６】
2014125218.tif 000008
【図７】
2014125218.tif 000009